(57)【特許請求の範囲】
【請求項１】
予め射出成形されたプリフォームの内側に、予めブロー成形されたチューブ状成形体を装填し、プリフォームの内側にチューブ状成形体を重ねた状態で二軸延伸ブロー成形を行って積層剥離容器とすることを特徴とするブロー成形方法。
【請求項２】
前記チューブ状成形体の装填に際し、前記チューブ状成形体の開口端部を外側に折り返して前記プリフォームの開口端部に係止させることを特徴とする請求項１記載のブロー成形方法。
【請求項３】
前記チューブ状成形体の成形に際して、前記開口端部における開口径を拡大するように前記開口端部を外側に湾曲させて成形することを特徴とする請求項２記載のブロー成形方法。
【請求項４】
前記チューブ状成形体は、複数のチューブ状成形体が連結された形態とし、両端のチューブ状成形体の連結されていない側の端部のみをピンチオフして、前記複数のチューブ状成形体を一括してブロー成形することを特徴とする請求項１から３のいずれか１項記載のブロー成形方法。
【発明の詳細な説明】
【技術分野】
【０００１】
本発明は、プリフォームとチューブ状成形体を組み合わせて二軸延伸ブローを行うブロー成形方法に関するものである。
【背景技術】
【０００２】
プラスチック製の容器（ボトル）の成形方法としては、ブロー成形方法が広く行われており、射出成形されたプリフォームを金型内にセットし、エアーを吹き込んで金型キャビティの形状に成形する２軸延伸ブロー成形法等が知られている。
【０００３】
近年、プラスチック容器の分野においては、多様な機能、性能が求められることが多く、使用する材料や成形方法に工夫が求められている。例えば、ガスバリア性や遮光性、保温性等が要求される場合、使用する材料をガスバリア性を有するものとしたり、プラスチック材料に着色剤や紫外線吸収剤を添加すること等が行われている。
【０００４】
しかしながら、材料の工夫等にも限度があり、プラスチック容器を多層化することで様々な機能を付与することも行われている。各層の構成材料等を最適化すれば、ガスバリア性に優れた遮光容器等、複合的な機能を有するプラスチック容器を実現することができるものと期待される。
【０００５】
多層のプラスチック容器を成形するには、多層プリフォームを射出成形し、これをブロー成形すればよいものと考えられ、多層プリフォームの成形方法も種々提案されている。しかしながら、多層プリフォームの成形には高度な技術が必要であり、成形装置に多くの設備投資が必要となる等、コスト等の点で課題がある。
【０００６】
このような状況から、プリフォームの外側に別途成形したプリフォームカバーを装着し、これをブロー成形することで複合容器を成形することが提案されている（特許文献１や特許文献２等を参照）。プリフォームカバーを利用することで、多層プリフォームを成形する必要がなくなり、コストの削減等に繋がるものと考えられる。
【０００７】
特許文献１には、プリフォームの外側に外側収縮部材を設け、プリフォームと、プリフォームの外側に密着された外側収縮部材とを有する複合プリフォームを作製し、ブロー成形金型内で複合プリフォームに対してブロー成形を施すことにより、複合プリフォームのプリフォームおよび外側収縮部材を一体として膨張させるブロー成形方法が開示されている。外側収縮部材を、例えばガスバリア性や光線バリア性を有する材料で形成することで、これらの機能が付与された複合容器を成形することが可能である。
【０００８】
特許文献２には、プリフォームの外側に内側ラベル部材を設け、特許文献１と同様、プリフォームと内側ラベル部材を一体として膨張させるブロー成形方法が開示されている。これにより、ラベラーによってラベルを付与する工程を不要とすることが可能なブロー成形方法を実現することが可能である。
【先行技術文献】
【特許文献】
【０００９】
【特許文献１】特開２０１５−９４９３号公報
【特許文献２】特開２０１５−９４８７号公報
【発明の概要】
【発明が解決しようとする課題】
【００１０】
ところで、プリフォームの外側にプリフォームカバーを装着し、これをブロー成形することで複合容器を成形する方法では、容器全体に機能性を付与することができず、プラスチック容器の多様化の要求に必ずしも対応しきれていないのが実情である。
【００１１】
プリフォームを二軸延伸ブロー成形することによりプラスチック容器を成形する場合、プラスチック容器に装着されるキャップに対応して、プリフォームの口部の外周面には、キャップを螺合するための螺子部や各種フランジ部等を形成しておくことが多い。このような形態のプリフォームの外側にプリフォームカバーを装着する方法では、プリフォームの口部までプリフォームカバーで被覆することは難しく、容器全体に機能性を付与することは難しい。
【００１２】
本発明は、このような従来の実情に鑑みて提案されたものであり、容器全体に機能性を付与することが可能で、例えば積層剥離容器も簡単に作製することが可能なブロー成形方法を提供することを目的とする。
【課題を解決するための手段】
【００１３】
前述の目的を達成するために、本発明のブロー成形方法は、予め射出成形されたプリフォームの内側に、予めブロー成形されたチューブ状成形体を装填し、プリフォームの内側にチューブ状成形体を重ねた状態で二軸延伸ブロー成形を行って積層剥離容器とすることを特徴とするものである。
【００１４】
プリフォームの内面には、螺子部や各種フランジ部に対応する凹凸が形成されることはなく、平滑面とされている。したがって、チューブ状成形体は、プリフォームの口部においてもプリフォームと密着して装填することが可能である。プリフォームの開口端部にまで達するチューブ状成形体を装填して二軸延伸ブロー成形を行えば、容器内面全体がチューブ状成形体で覆われた状態で成形され、容器全体に機能性が付与される。
【発明の効果】
【００１５】
本発明のブロー成形方法によれば、容器全体を二重構造とすることができ、容器全体に様々な機能性を付与することが可能である。また、二重構造の容器として、いわゆる積層剥離容器を簡単に作製することも可能である。
【図面の簡単な説明】
【００１６】
【図１Ａ】複合容器の製造工程の一例を示すものであり、プリフォームへのチューブ状成形体の装着工程を示す概略斜視図である。
【図１Ｂ】プリフォームにチューブ状成形体を装填した状態を示す概略断面図である。
【図１Ｃ】成形された複合容器を一部破断して示す概略側面図である。
【図２】プリフォームの開口端部にチューブ状成形体の開口端部を係止する方法の一例を示す図であり、（ａ）は治具による折り曲げ工程を示し、（ｂ）はチューブ状成形体の係止状態を示すものである。
【図３】開口部分を外側に湾曲させたチューブ状成形体の一例を示す図である。
【図４】連結された状態で成形されるチューブ状成形体の概略側面図である。
【図５Ａ】チューブ状成形体のブロー成形方法の一例を示すものであり、パリソン押し出し工程を示す概略断面図である。
【図５Ｂ】パリソン挟み込み工程を示す概略断面図である。
【図５Ｃ】エアブロー後の状態を示す概略断面図である。
【図６Ａ】１個取りのブロー成形におけるパリソンの形態を模式的に示す縦断面図である。
【図６Ｂ】図５ＡのＸ−Ｘ線ににおける横断面図である。
【図７Ａ】２個取りのブロー成形におけるパリソンの形態を模式的に示す縦断面図である。
【図７Ｂ】図５ＡのＹ−Ｙ線における横断面図である。
【発明を実施するための形態】
【００１７】
以下、本発明を適用したブロー成形方法の実施形態について、図面を参照しながら説明する。
【００１８】
本実施形態のブロー成形方法では、プリフォームの内側にチューブ状成形体を重ねた状態で二軸延伸ブローを行うことで、複合容器が作製される。本実施形態のブロー成形方法により複合容器を作製するには、先ず、プラスチック材料製のプリフォーム１を準備する。プリフォーム１の成形方法としては、例えば射出成形機を用いた射出成形や、押し出し成形等を挙げることができる。
【００１９】
プリフォーム１の構成材料としては、任意の熱可塑性樹脂が挙げられ、複合容器の用途や性能等に応じて適宜選択すればよい。熱可塑性樹脂の具体例としては、特にＰＥ（ポリエチレン）、ＰＰ（ポリプロピレン）、ＰＥＴ（ポリエチレンテレフタレート）、ＰＥＮ（ポリエチレンナフタレート）等を挙げることができる。
【００２０】
また、プリフォーム１を多層構成とすることも可能である。例えば、２層のプリフォームや、商品名ナイロンＭＸＤ６、商品名ナイロンＭＸＤ６＋脂肪酸塩、ＰＧＡ（ポリグリコール酸）、ＥＶＯＨ（エチレンビニルアルコール共重合体）またはＰＥＮ（ポリエチレンナフタレート）等のガスバリア性や遮光性を有する樹脂を中間層とする３層以上からなるプリフォームとすることも可能である。
【００２１】
次に、図１Ａに示すように、プリフォーム１の内側にチューブ状成形体２を装着する。チューブ状成形体２は、全体として有底円筒形状を有しており、円筒状の胴部と、ピンチオフにより閉塞された底部とを有している。
【００２２】
チューブ状成形体２の装填に際しては、プリフォーム１の首部や口部を含め、プリフォーム１の内面全体にチューブ状成形体２が重なるように装着される。プリフォーム１の容器口部に対応する位置には、成形された容器にキャップを螺合するための螺子部やフランジ部等の凸部１ａが形成されることがあるが、内面にはこれら螺子部やフランジ部等が突出形成されることはない。したがって、チューブ状成形体２をプリフォーム１の首部や口部にまで装填する上で、何ら支障となることはない。
【００２３】
前記チューブ状成形体２は、ブロー成形により予め成形しておくが、装填時の摩擦軽減のため、その外面は、若干粗度が高い方がよい。例えば、チューブ状成形体２を成形する際に用いる金型のキャビティ面に対してブラスト処理等を施しておけば、チューブ状成形体２の外面を粗面とすることができる。
【００２４】
また、チューブ状成形体２は、付与する機能性に応じて、適宜、材質や添加剤等を選定することができる。付与する機能性としては、例えば低吸着性、酸素バリア性、遮光性等が挙げられ、チューブ状成形体２の成形材料として環状ポリオレフィン樹脂等を用いることで、低吸着性を実現することができる。あるいは、チューブ状成形体２の成形材料としてＥＶＯＨ（エチレンビニルアルコール共重合体）を用いることで、酸素バリア性を付与することができる。遮光性を付与するためには、チューブ状成形体２の成形材料に、着色材や紫外線吸収剤等を添加すればよい。
【００２５】
次いで、チューブ状成形体２が装着されたプリフォーム１を予備加熱し、成形金型にセットする。予備加熱の温度はプリフォーム１の構成材料等に応じて適正な温度に設定すればよく、例えば９０℃〜１３０℃程度である。
【００２６】
予備加熱後、チューブ状成形体２が装着されたプリフォーム１を金型にセットする。金型は、成形する複合容器の形状に応じたキャビティを有するものであり、加熱により軟化したプリフォーム１（チューブ状成形体２）内にエアブローすることにより、プリフォーム１及びチューブ状成形体２が延伸され、金型のキャビティ形状に賦形される。
【００２７】
これにより、プリフォーム１が延伸されることにより形成される容器本体１１の内側が、チューブ状成形体２が延伸されることにより形成される被覆層１２で覆われた複合容器１０が成形される。作製される複合容器１０においては、チューブ状成形体２がブロー成形により形成されるものであるので、チューブ状成形体２を射出成形する場合等に比べて、製造コストを削減することができる。また、被覆層１２は、複合容器１０の首部や口部までも覆って形成されており、被覆層１２が有する機能性を複合容器１０全体に付与することができる。
【００２８】
なお、前述のブロー成形において、プリフォーム１とチューブ状成形体２を重ねた状態で二軸延伸ブローを行う際に、チューブ状成形体２の延伸に伴ってチューブ状成形体２の開口端部がプリフォーム１内に後退してしまう可能性がある。チューブ状成形体２の開口端部が後退してしまうと、プリフォーム１の内面全体をチューブ状成形体２で覆うことができなくなる。
【００２９】
このような不都合を解消するためには、二軸延伸ブローに際して、例えばプリフォーム１の開口端部でチューブ状成形体２の開口端部を支持するように重ねればよい。図２は、プリフォーム１の開口端部でチューブ状成形体２の開口端部を支持させるための工程例を示すものである。この例では、チューブ状成形体２の開口端部２ａをプリフォーム１の開口端部よりも延長して成形し、図２（ａ）に示すように、プリフォーム１の開口端部の形状に合わせた凹部を有する治具２０でチューブ状成形体２の開口端部２ａを折り返し、くせ付けを行う。これにより、図２（ｂ）に示すように、プリフォーム１の開口端部の天面で、折り返されたチューブ状成形体２の開口端部２ａを支持する形になり、チューブ状成形体２の開口端部２ａがプリフォーム１内に引き込まれるのを防止することができる。
【００３０】
前述のようにチューブ状成形体２の開口端部２ａの折り返しを行う場合、チューブ状成形体２の成形に際して、開口端部２ａを外方へ湾曲するように成形することが好ましい。例えば、図３に示すように、チューブ状成形体２の開口端側において、開口径を拡大するように成形し、開口端部２ａを外側に湾曲させて成形する。その後、一点鎖線位置で切断すれば、チューブ状成形体２の開口端部２ａが外側に広がる形状となり、前記折り返しが容易なものとなる。
【００３１】
また、成形されるチューブ状成形体２の底部には、エア抜き孔２ｂを形成しておくことも好ましい形態である。チューブ状成形体２の底部にエア抜き孔２ｂを形成しておけば、チューブ状成形体２とプリフォーム１の間に空気が残存することがなくなり、チューブ状成形体２とプリフォーム１とが密着した状態で成形される。
【００３２】
さらに、チューブ状成形体２をブロー成形するに際しては、成形体の形態を複数のチューブ状成形体が連結された形態とし、両端のチューブ状成形体の連結されていない側の端部のみをピンチオフして、複数のチューブ状成形体を一括してブロー成形することが好ましい。これにより、周方向での厚さの均一性に優れたチューブ状成形体を成形することができ、チューブ状成形体を用いて成形される複合容器の信頼性を高めることが可能である。
【００３３】
すなわち、チューブ状成形体のブロー成形方法では、いわゆる複数個取りの状態で、複数のチューブ状成形体が直列に連結されるように結合してブロー成形を行う。一括して成形するチューブ状成形体の数は、２個でも３個でもよく、４個以上も可能であるが、一括して成形するチューブ状成形体の数が多くなればなるほど金型の大型化等が必要となる。また、３個以上を一括して成形する場合には、各チューブ状成形体の形状としては、両端が開放されるものに限られる。したがって、何個の成形体を一括して成形するかは、必要なチューブ状成形体の形状や、設備の規模等に応じて適宜設定すればよい。
【００３４】
以下においては、２個のチューブ状成形体を一括して形成する場合を例に説明する。２個取りの場合、２つのチューブ状成形体を一端側で連結した形態とし、各チューブ状成形体の連結されていない側の端部のみをピンチオフして、２つのチューブ状成形体を一括してブロー成形する。すなわち、各チューブ状成形体の連結されていない側の端部のみでパリソンが金型に挟み込まれるが、それ以外の部分においては、パリソンは金型に挟み込まれていない。
【００３５】
図４は、成形される成形体３１の形態を示すものである。本例において成形される成形体３１は、２つのチューブ状成形体３２，３３が直列に連結された形態を有する。各チューブ状成形体３２，３３は、それぞれ一端側がピンチオフ部３２ａ，３３ａとされて閉塞されるとともに、他端側は開放された状態で連結部３４を介して互いに一体に連結されて成形されている。なお、各チューブ状成形体３２，３３の形態としては、例えば図３に示すように、開口端部が外方へ湾曲された形状であってもよい。
【００３６】
チューブ状成形体３２，３３間を連結する連結部３４は、各チューブ状成形体３２，３３の胴部の径よりも若干小さな径で形成されている。ここで、連結部３４の径をチューブ状成形体３２，３３の胴部の径よりも小さく設定するのは、この位置に吹き込み針を設置し、ブロー成形の際に、パリソンへの吹き込み針の差し込みを円滑に行うためである。
【００３７】
次に、図５の成形体のブロー成形方法について説明する。成形体３１をブロー成形するには、図５Ａに示すように、円筒状のパリソン４１を押出機４２のダイより押し出し、図５Ｂに示すように、一対の分割金型４３，４４で挟み込む。
【００３８】
パリソン４１は、前記の通り、溶融混練した原料樹脂を押出機４２のダイより押し出すことにより形成されるが、原料樹脂としては、任意の熱可塑性樹脂を用いることができる。例えば、ポリエチレンやポリプロピレン等のポリオレフィン樹脂や、ポリエチレンテレフタレート等のポリエステル樹脂、商品名ナイロン等のポリアミド樹脂、ガスバリア性に優れるエチレン−ビニルアルコール樹脂等であるが、勿論これらに限定されるわけではなく、プリフォームカバー２，３の用途や要求される性能、機能等に応じて各種樹脂の中から適宜選択すればよい。また、原料樹脂には、着色剤や遮光剤、紫外線吸収剤、潤滑剤等の各種添加剤や、充填材等を添加することもでき、やはり、チューブ状成形体３２，３３に要求される性能、機能等に応じて添加する材料を適宜選択すればよい。
【００３９】
分割金型４３，４４は、それぞれチューブ状成形体３２，３３の形状に応じたキャビティ４３ａ，４４ａを２つずつ有しており、チューブ状成形体３２，３３の形状に応じたキャビティ４３ａ，４４ａの間には、やや小径の連結部３４を形成するための突出部４３ｂ，４４ｂが形成されている。また、各キャビティ４３ａ，４４ａの連結部３４により連結される側とは反対側の端部には、ピンチオフ部４３ｃ，４４ｃが設けられている。分割金型４３，４４を突き合わせた際には、前記ピンチオフ部４３ｃ，４４ｃが突き当たり、パリソン４１の両端が押し潰されて閉塞状態とされる。
【００４０】
図５Ｂに示すように、型閉じを行い、一対の分割金型４３，４４でパリソン４１を挟み込んだ後、連結部３４に対応する突出部４３ｂにおいて、吹き込み針４５をパリソン４１内に差し込み、エアブローを行う。連結部３４に対応する突出部４３ｂにおいては、パリソン４１と分割金型４３の距離が、チューブ状成形体３２，３３の形状に応じたキャビティ４３ａ，４４ａにおけるパリソン４１と分割金型４３の距離よりも小さく、吹き込み針４５のパリソン４１内への差し込みを容易に行うことができる。
【００４１】
エアーの吹き込みの際には、真空吸引によりパリソン４１を金型に密着させた状態で吹き込み針４５を差し込む必要がある。パリソン４１が金型に引き付けられて密着していない状態では、すなわちパリソン４１が金型から離間した状態では、パリソン４１に吹き込み針４５を差し込むことは難しい。したがって、パリソン４１を速やかに金型に引き付けるためには、パリソン４１と金型の距離が小さい方が有利である。連結部３４をチューブ状成形体３２，３３の胴部の径よりも小さな径とすることで、連結部３４に対応する金型部分が胴部に対応する金型部分よりも突出されることになり、その結果、連結部３４に対応する金型部分とパリソン４１とが接近することになる。
【００４２】
連結部３４に対応する金型部分の内径は、押し出したパリソンの外径と略等しくなることが好ましく、具体的には、当該金型部分の内径が、パリソン外径よりも０〜２ｍｍになることが好ましい。尚、パリソンが当該金型部分において挟み込まれることを確実に防ぐため、当該部分の内径は、パリソンの外径よりも０．５ｍｍ以上大きくすることが好ましい。
【００４３】
本例においては、この連結部３４に対応し突出した金型部分である突出部４３ｂに吹き込み針４５を設置し、吹き込み針４５のパリソン４１への差し込み、及びエアブローを行う。例えば、前記突出部４３ｂに吹き込み針４５を設置するとともに、吹き込み針４５の周囲に真空吸引孔を設けておく。吹き込み針４５をパリソン４１に差し込む際には、これら真空吸引孔により真空吸引を行う。この真空吸引により、パリソン４１を金型（突出部４３ｂ）に引き付ける。突出部４３ｂとパリソン４１の距離が近いことから、パリソン４１は速やかに突出部４３ｂに引き付けられて密着する。したがって、吹き込み針４５のパリソン４１への差し込みを円滑に行うことができる。
【００４４】
なお、連結部３４に対応し突出した金型部分である突出部４３ｂに吹き込み針４５を突出させるための針孔を設ける場合に限らず、当該突出部４３ｂに、局所的に凹部を設け、その凹部に針孔を設け、当該凹部における針孔の周囲に、パリソンを吸引するための吸引孔を、当該針孔を囲むように複数並べて配置してもよい。例えば、突出部１３ｂに、直径４〜６ｍｍ程度の円形で、深さ２〜４ｍｍ程度の凹部を設け、凹部の中心に直径２〜３ｍｍの針孔を設け、当該針孔を中心に４５°の間隔で、当該針孔の周囲に吸引孔を８個配置してもよい。この場合、凹部の周囲が、パリソンに近接することで、凹部内の吸引孔にてパリソンを吸引すると、パリソンが部分的に凹部に入り込み、入り込んだ部分においてしっかりとパリソンを保持できる。これにより、吹き込み針４５をより確実にパリソン４１に差し込むことができる。
【００４５】
吹き込み針４５によるエアブローにより、図５Ｃに示すように、パリソン４１が分割金型４３，４４のキャビティ４３ａ，４４ａの内壁に押し付けられ、キャビティ４３ａ，４４ａの形状に成形される。次いで、型開きを行い、成形体を取り出す。成形される成形体は、図４に示す通りである。取り出した成形体３１は、図４の破線位置で切断し、個々のチューブ状成形体３２，３３に分離する。
【００４６】
以下、チューブ状成形体のブロー成形に図５に示すブロー成形方法を採用した場合に、チューブ状成形体３２，３３の厚さが均一化される理由について説明する。
【００４７】
図６Ａ及び図６Ｂは、チューブ状成形体を、いわゆる１個取りとするブロー成形におけるパリソン４１の形態を示すものである。１個取りのブロー成形では、分割金型５１，５２には、１つのチューブ状成形体に対応してキャビティ５１ａ，５２ａが１つ形成されており、その両端にはピンチオフ部５１ｂ，５２ｂが設けられている。
【００４８】
１個取りとした場合、図６Ａに示すように、チューブ状成形体（すなわちキャビティ５１ａ，５２ａ）の両側にピンチオフ部５１ｂ，５２ｂが設けられることになり、ピンチオフ部５１ｂ，５２ｂ間の距離Ｌ１が小さい。ピンチオフ部５１ｂ，５２ｂでは、食い切りの際にパリソン４１に大きな力が加わり、パリソン４１の変形の原因となるが、前記距離Ｌ１が小さいと、その影響がチューブ状成形体全体に及ぶ。
【００４９】
図６Ｂは、分割金型５１，５２に挟み込まれた際のパリソン４１の断面を示すものであり、キャビティ５１ａ，５２ａの両側に設けられたピンチオフ部５１ｂ，５２ｂの影響により、パリソン４１が偏平に潰れるという現象が見られる。パリソン４１が偏平に潰れてしまうと、エアブローした時に均一に延伸されず、特に周方向における厚さのばらつきが大きくなる。
【００５０】
これに対して、本例のブロー成形方法のように、いわゆる２個取りでブロー成形する場合、図７Ａに示すように、２つ設けられたキャビティ４３ａ，４４ａにおいて、互いに連結されていない側の端部、すなわち連結部３４を形成するための突出部４３ｂ，４４ｂが形成される側とは反対側の端部にのみピンチオフ部４３ｃ，４４ｃが設けられることになる。したがって、遠く離れた２つのチューブ状成形体の両側の端部のみピンチオフ（バリ噛み）され、連結部３４はピンチオフされない。
【００５１】
ここで、両端のピンチオフ部４３ｃ，４４ｃ間の距離Ｌ２は、先の１個取りの場合に比べて概ね２倍となり、ピンチオフ部４３ｃ，４４ｃでの食い切りによる影響が大きく低減される。その結果、図７Ｂに示すように、分割金型４３，４４間に挟みこまれたパリソン４１の断面形態が円形に近いものとなる。パリソン４１が円形であれば、エアブローの際に全ての方向に均等に延伸され、均一な厚さで成形される。
【００５２】
このような金型設計の本例のブロー成形方法で成形されるチューブ状成形体３２，３３は、周方向での厚さの均一性に優れるものであり、これを利用して高品質な複合容器を製造することが可能である。
【００５３】
本発明のブロー成形方法は、前述の通りプリフォームの内側にチューブ状成形体を重ねた状態で二軸延伸ブローを行うものであり、これにより容器内面全体に機能性を付与することが可能である。また、いわゆる積層剥離容器を簡単に作製することが可能である。
【００５４】
以上、本発明を適用した実施形態についてを説明してきたが、本発明が前述の実施形態に限られるものでないことは言うまでもなく、本発明の要旨を逸脱しない範囲において、種々の変更を加えることが可能である。
【符号の説明】
【００５５】
１  プリフォーム
２  チューブ状成形体
２ａ  開口端部
３１  成形体
３２，３３  チューブ状成形体
３４  連結部
４１  パリソン
４３，４４  分割金型
４３ａ，４４ａ  キャビティ
４３ｂ，４４ｂ  突出部
４３ｃ，４４ｃ  ピンチオフ部
４５  吹き込み針
【図１Ａ】
0006614440.tif 000002
【図１Ｂ】
0006614440.tif 000003
【図１Ｃ】
0006614440.tif 000004
【図２】
0006614440.tif 000005
【図３】
0006614440.tif 000006
【図４】
0006614440.tif 000007
【図５Ａ】
0006614440.tif 000008
【図５Ｂ】
0006614440.tif 000009
【図５Ｃ】
0006614440.tif 000010
【図６Ａ】
0006614440.tif 000011
【図６Ｂ】
0006614440.tif 000012
【図７Ａ】
0006614440.tif 000013
【図７Ｂ】
0006614440.tif 000014